(57)【要約】  ブラシ体（２）の剛毛束（１２）が基体（１１）に植設された方向に往復運動する電動歯ブラシでは、毛先が歯茎や歯周ポケットを突き刺す方向に往復運動するため、却って歯茎等を傷めるおそれがあった。  本発明の電動歯ブラシ（１）は、剛毛束（１２）が基体（１１）に植設されたブラシ体（２）と、前記ブラシ体を前記剛毛束が植設された方向に往復運動させる縦往復運動部（３）と、前記ブラシ体が往復運動する中心点が移動した際には、その移動距離に応じて前記移動と反対側にブラシ体に圧力を加える圧力部（４）を有するので、毛先に生じる衝撃を吸収し、一方で毛先に圧力を加えられるので、歯茎等を傷めることなく十分な口腔内掃除が可能である。
2011052561.tif 000002
【特許請求の範囲】
【請求項１】
剛毛束が基体に植設されたブラシ体と、
前記ブラシ体を前記剛毛束が植設された方向に往復運動させる縦往復運動部と、
前記ブラシ体の毛先に圧力が加わった際には、前記ブラシ体が縦往復運動する中心点を前記圧力が加わった方向に移動させ、さらに前記移動距離に応じて前記移動と反対側にブラシ体に圧力を可変的に加える圧力部を有する電動歯ブラシ。
【請求項２】
剛毛束が基体に植設されたブラシ体と、
前記基体に接続されたクランク機構と、
前記クランク機構を端部に有するシャフトと、
前記シャフトの他端に回転軸を接続されたモータと、
前記シャフトの中央部の所定区間の間に前記シャフトに当接する突起を有するスライド可能なスライダと、
前記シャフトの回転数を調節する制御機構を有する電動歯ブラシ。
【請求項３】
前記シャフトの回転数を調節する制御機構は、
前記モータの回転軸に底面の中心を連結された第１の円錐状のコーンと、
前記第１のコーンに掛止され本体にスライド可能に配置された滑車との間に掛止されたリングバンドと、
前記シャフトに底面の中心を連結され、前記第１のコーンと反対向きに配置され、前記第１のコーンの側面の前記リングバンドに円錐状の側面を当接させる第２のコーンで形成されることを特徴とする請求項２に記載された電動歯ブラシ。
【発明の詳細な説明】
【技術分野】
【０００１】
本発明は電動歯ブラシに関するものであり、特に歯ブラシに植設された剛毛束を、植設された方向に往復運動させる電動歯ブラシに関するものである。
【背景技術】
【０００２】
歯磨きの方法については、いくつかの方法が従来から提唱されている。歯を噛み合わせて歯ブラシを横に動かす水平法は、簡便な方法であり、歯の表面の歯垢を除去することができる。しかし、歯と歯の間（以後「歯間」と呼ぶ。）には、歯ブラシの毛先が届きにくく掃除しにくい。同じく歯を噛み合わせた状態で歯ブラシの毛先を円を描くように動かすフォーンズ法も同じような課題を有する。つまり、歯を磨く方法としては、歯間をどのようにして掃除するかが１つの課題である。【０００３】
また、近年歯周病の予防として、歯と歯茎の間（以後「歯周ポケット」と呼ぶ。）にたまる歯垢を除去することが効果的であるといわれている。これに伴って、歯ブラシを歯茎から歯の先、歯の先から歯茎側へ動かすローリング法が提唱された。この方法は歯の表面の歯垢および歯茎のマッサージ等の効果があるとされる。【０００４】
これをより進めた方法として歯ブラシの毛先をほとんど動かさずに往復運動を与えるバス法が提唱されている。【０００５】
一方、歯間と歯周ポケットを掃除する効果的な方法としては、つまようじ法がある。つまようじ法は、毛先を歯間や歯周ポケットに入れ、歯垢を除去するとともに、歯茎のマッサージも出来る方法である。しかし、毛先を歯間や歯周ポケットに入れるのは、容易ではなく、強く差し込み過ぎると却って歯茎を傷めるなどの問題があった。また、毛先を歯の表面に対して垂直方向から動かすため、歯の表面の歯垢は落としにくいという問題もあった。【０００６】
電動歯ブラシは、微小な運動を行うことができるので、ローリング法、バス法を混在させたような歯磨きが可能で、大変効果的である。また、これに高圧の脈流水を噴射する機能を同時にもたせ、歯間の掃除や歯茎へのマッサージ効果を持たせたものもある。【０００７】
特許文献１は、このようなブラシ体を振動させるタイプと高圧水噴出タイプを融合させたタイプの電動歯ブラシを開示したものである。すなわち、ブラシ体の往復運動とともに、歯ブラシから高圧の脈動水流が噴出する。特許文献１の電動歯ブラシは、往復運動するブラシ体によって歯の表面の歯垢を除去し、噴出する脈動高圧水によって歯間を掃除し、歯茎の血行を促し、歯槽膿漏を予防する効果があるとされる。【０００８】
しかし、歯間や歯周ポケットは、神経が少なく、位置が感覚でわからないため、鏡の前で歯ブラシを当てる位置を確認しなければ、歯ブラシの毛先や高圧の脈動噴出水を歯間や主集ポケットに正確に当てるのは容易ではない。【０００９】
歯間や歯周ポケットを正確に掃除するのは、つまようじ法を実現する電動歯ブラシが有効であると考えられる。本発明者は、そのような発想に基づき、特許文献２のように、つまようじ法を実現する電動歯ブラシの発明を開示した。【００１０】
これらの発明は、ブラシ体を構成する剛毛束が、植設された方向に往復することを特徴としている。したがって、従来の電動歯ブラシでは、剛毛束の毛先が歯の表面をなぞるように往復運動するのに対して、特許文献２や３の発明の電動歯ブラシは、剛毛束の毛先が歯をこすりながら歯周ポケットおよび歯茎を叩くように運動する。【００１１】
このような往復運動は、歯の表面を広くこすることには適していない。したがって、歯の表面を広い範囲に亘って一度に磨くことについては、効率が高いとは言えない。しかし、歯間に剛毛束を当てた時は、歯と歯の間が狭くなるに従い、剛毛束が隙間に沿って扇状に浸入するので、歯間の奥まで毛先が入る。したがって、歯間の掃除には適している。また、歯の表面から歯茎に向かって剛毛束を当てると、歯と歯茎の間（歯周ポケット）に毛先が入り込む。したがって、歯周ポケットの歯垢を除去するとともに、歯茎に対するマッサージ効果も有する。
【先行技術文献】
【特許文献】
【００１２】
【特許文献１】特開昭５７−２５８４３号公報（特公昭６０−２６５３５号公報）
【特許文献２】特許第３８７５７４５号公報
【発明の概要】
【発明が解決しようとする課題】
【００１３】
上記の特許文献２の発明では、剛毛束は植設された方向に機械的にピストン運動を行っているので、毛先が歯若しくは歯茎に当たってから、ピストン運動の上死点に至るまでは、強制的に剛毛束の先端（毛先）が歯茎などに押しつけられる。その際は、剛毛の腰によって剛毛がたわむことで、毛先の変位を吸収する。【００１４】
この際、剛毛は略垂直方向から歯の表面や歯茎にあたる場合が多いので、かなりの衝撃がある。この衝撃は健康な歯茎の人にとっては、マッサージとなるが、そもそも歯周病を患っている人にとっては、却って病状を悪化させる起因となるおそれもある。【００１５】
また、このピストン運動によって毛先が歯茎に当たることを、歯茎に対する「ビート打撃」と呼ばれるが、その強度が強すぎると歯茎にダメージを与えることになる。また、ビート打撃回数が固定されていると、使用する人によって、また同じ人でも体調によって、適不適が生じるという課題がある。
【課題を解決するための手段】
【００１６】
本発明は上記の課題に鑑み、剛毛が植設方向に往復運動する電動歯ブラシにおいて、歯垢除去能力は維持したまま、剛毛束の毛先に生じる衝撃力を無段階に緩和させることのできる電動歯ブラシを提供することを目的とする。【００１７】
すなわち、本発明の電動歯ブラシは、
剛毛束が基体に植設されたブラシ体と、
前記ブラシ体を前記剛毛束が植設された方向に往復運動させる縦往復運動部と、
前記ブラシ体の毛先に圧力が加わった際には、前記ブラシ体が縦往復運動する中心点を前記圧力が加わった方向に移動させ、さらに前記移動距離に応じて前記移動と反対側にブラシ体に圧力を可変的に加える圧力部を有することを特徴とする。
【発明の効果】
【００１８】
本発明の電動歯ブラシは、ブラシ体を構成する剛毛束を縦往復運動させる縦往復運動部が、往復運動方向に変位し、その変位量によって可変的に圧力がかかるように構成したので、歯や歯茎に剛毛束が当接したら、所定の長さは剛毛束自体が後退する。従って、剛毛束の毛先で発生する衝撃を吸収することができる。同時に、剛毛束が後退した距離に比例して歯の方向に圧力をかけるので、歯垢の除去能力が低下することはない。さらに、かかる圧力は可変的に制御できるので、使用者の好みに応じて適宜くわえられる圧力を調整することができる。【００１９】
このようにすることで、歯間や歯周ポケットといった感じにくい部分には、物理的に剛毛束を当てることができるので、歯間や歯周ポケットに毛先があたる感覚で、毛先があたっていることを知覚しながら、歯間や歯周ポケットの掃除ができる。【００２０】
また、この時の圧力を可変することができるように構成するので、歯周病で痛みが感じる部位では、加圧力を少なくし、適度な圧力で歯磨きをすることができる。また、往復運動回数を調整できるようにしたので、マッサージ効果を適切に調整する事ができる。【００２１】
すなわち、歯茎や歯周ポケットを傷めやすい、つまようじ法を行う電動歯ブラシであるが、これらの部位との当たりが非常にソフトになり、なおかつ、使用する歯茎の状態によって、これらの部位に与える衝撃を調整することができる。また、歯間や歯周ポケットの歯垢除去を効果的に行え、また歯茎にマッサージ効果を与えることのできる電動歯ブラシを提供することができる。
【図面の簡単な説明】
【００２２】
【図１】本発明の第１の実施の形態の構成図を示す図である。
【図２】本発明の第２の実施の形態の構成を示す図である。
【図３】本発明の第３の実施の形態の構成を示す図である。
【発明を実施するための形態】
【００２３】
（実施の形態１）
以下、本発明の実施の形態を図を参照しながら説明する。図１は本発明の構成を示す図である。本発明の電動歯ブラシ１は、ブラシ体２と、ブラシ体２を往復運動させる縦往復運動部３と、ブラシ体２の衝撃を吸収しながら圧力も加える加圧部４と、全体を保持するフレーム５を有する。
【００２４】
ブラシ体２は、基体１１に剛毛束１２を植設したものである。剛毛束１２は剛毛を束にしたもので、およそ、十数から数十本の剛毛を束ねたものである。剛毛は、長さ十数ミリの樹脂製のものが一般的であり、毛先は、尖形であったり、球状に形成されていたり、また、切断された状態のままであったり、特に限定されるものではない。太さは、数十μｍから数百μｍ程度のものがよく、太さの異なる剛毛を混在させて剛毛束を形成してもよい。なお、剛毛の太さや先端（毛先）の形状は、どの程度の歯間まで毛先を届かせるかという設計上の問題であるので、適宜選択することができる。
【００２５】
基体１１に植設する剛毛束１２の数は特に限定されないが、歯間に剛毛の毛先を届かせるためには、１乃至数組の剛毛束が好ましい。剛毛束の数が多いと、剛毛同士がぶつかり合って、狭い歯間や歯周ポケットに効果的に進入できないからである。また、本発明の電動歯ブラシは、剛毛束１２を植設方向に往復運動させるので、往復運動先端の質量が重いとビート回数を高く出来ないという理由もある。
【００２６】
ブラシ体２は適当な太さのロッド６に接続され縦往復運動部３に連結される。縦往復運動部３は、剛毛束１２が基体１１に植設されている方向に往復運動を与える。この意味で本明細書では、剛毛若しくは剛毛束の植設された方向の往復振動運動をさせることを「縦往復運動」と呼ぶ。縦往復運動は、剛毛束１２の植設された方向の往復振動成分が往復運動の主成分であればよく、この方向の往復振動に加えて、これと直角方向の往復振動成分や、回転運動成分が含まれていてもよい。なお、縦往復運動を与える手段の構成は、特に限定されるものではない。
【００２７】
例えば、回転運動を往復直線運動に変換するクランク機構や、縦往復運動を直接生み出すピエゾ素子などを用いた構成が考えられる。また、縦往復運動部３と駆動を伝えるロッド６の位置関係も特に制限されない。したがって、図１に示したブラシ体２と縦往復運動部３の位置関係は、一例に過ぎず、後述するように、ブラシ体２と縦往復運動部３が直列の関係ではなく、直角の位置関係の場合もある。
【００２８】
縦往復運動部３は、往復運動数の制御機構を有することが望ましい。上述したように、つまようじ法を実施する縦往復運動が生み出すビート回数は、個人差や体調によって調整できるのが好ましいからである。調整は、段階的であってもよいし、無段階であってもよい。なお、最新の研究では、ビート数は１分間に３０００から４０００回程度が好ましいという報告もある。
【００２９】
加圧部４は、剛毛束１２が衝撃吸収力を有するように設けられた手段であって、構成は特に制限されない。図１では、フレーム５と縦往復運動部３の間に設けられた弾性体１４（より具体的にはバネ）であり、縦往復運動部３も衝撃吸収の対象としている。しかし、本発明の加圧部４は、剛毛束１２での衝撃吸収がなされればよく、この構成に限定されない。
【００３０】
また、加圧部４の弾性力は、調整できるようにすることが好ましい。加圧部４の弾性力は剛毛束１２が歯茎などを打撃するビートの強さを決める要因であるので、個人差や人種間差、また同一人であっても歯周病の程度で調節できるようにするのが好ましいからである。調整の方法は特に限定されるものではない。なお、図１では、弾性力を調節できるという意味で、バネの中央に矢印を記載した。
【００３１】
フレーム５は、上記の構成要素を覆うものであり、基本的に使用者の手によって固定されることを想定している。形状は特に限定されるものではないが、電動歯ブラシ１は、使用者が手に持って、ブラシ体２を口腔内に挿入して使用するものであるので、十数分間程度はそのような姿勢を維持できる程度の大きさや形状であることが必要とされる。
【００３２】
なお、縦往復運動部３は電気的に駆動するものであるので、縦往復運動部３に電力を供給する電源７は別途必要である。電源７は外部から有線によって供給されてもよいし、電動歯ブラシ１自体が一次若しくは二次電池を内蔵し、それから電力を得てもよい。図１では二次電池が電源７を構成する場合を示している。また、電源７は後述するように往復運動数を電圧で制御する場合を例示するので、電圧を可変できるように表示した。
【００３３】
次に本発明の電動歯ブラシ１の動作について説明する。縦往復運動部３の電源スイッチを入れると縦往復運動部３は縦往復運動をロッド６に伝える。縦往復運動するロッド６によって剛毛束１２は縦往復運動する。
【００３４】
縦往復運動する剛毛束１２が歯や歯間若しくは歯周ポケットに当接すると、フレーム５と縦往復運動部３の間に設けられた弾性体１４が縮む事で、往復運動中心が当接点から遠ざかる方向に移動する。つまり毛先に加わった圧力の方向に往復運動中心が移動する。さらに、この移動した距離に応じて当接点に向かって剛毛束１２を押し付ける力が可変的に加わる。ここで、「可変的」とは、当接点に向かって剛毛束１２を押し付ける力を調節することができるという意味である。このような構成にすることによって、剛毛束１２の毛先が歯周ポケットや歯茎に当接する際に生じる衝撃を緩和することができる。
【００３５】
したがって、使用者は、剛毛束１２が歯茎に当接する際に、強い衝撃を感じることなく、打撃運動を歯茎に与えることができる。また、剛毛束１２が歯茎に当接した際に衝撃を感じたら、圧力を軽くすることで、衝撃を弱めることができる。一方、剛毛束１２を押し込み続けたり、加わる圧力を強くすることによって剛毛束１２の縦往復運動は、往復運動方向の圧力を増すので歯間や歯周ポケットの歯垢を効果的に除去することができる。
【００３６】
また、剛毛束１２を口腔内で移動させる場合も、歯茎や歯の形状に従って剛毛束１２の往復運動の中心が植設方向に移動できるため、例えば歯茎に当たった際に、毛先が歯茎に突き刺さったりしてダメージを与えることがない。
【００３７】
歯間に剛毛束１２を当てると、剛毛束１２が押し込まれる際には、歯間に毛先が扇状に広がって侵入する。そして、歯間に沿って毛先が広がり、歯間全体に毛先が侵入する。このような毛先の動きによって歯間の歯垢は除去される。
【００３８】
歯周ポケットに剛毛束１２をあてた場合も毛先は上記と同じ動きをし、歯周ポケット内の歯垢を除去することができる。また、本発明の電動歯ブラシは、剛毛束１２の植設数が少ないため、歯茎や歯周ポケット等にあたる箇所が限られている。そのため、口腔内でいま毛先がどこにあたっているかを知覚しやすく、特に鏡で毛先の当て方を確認しなくても、歯周ポケット等を上手に掃除することができる。
【００３９】
なお、歯の表面に縦往復運動する剛毛の毛先を当てた場合は、剛毛束１２が押し込まれる場合は毛先が周囲に逃げて広がることで、歯の表面に摩擦を与える。この摩擦で歯垢を除去する（磨く）ことができる。以上のように、本発明の電動歯ブラシ１は、剛毛束１２を縦往復運動させ、なおかつ毛先に衝撃吸収力を与えたので、剛毛束１２の毛先は打撃を与える運動をしているにもかかわらず、口腔内にダメージを与えることがない。
【００４０】
（実施の形態２）
図２（ａ）を参照して、より具体的な実施形態を示す。本実施の形態の電動歯ブラシ１ａも実施の形態１の場合同様、ブラシ体２、縦往復運動部３、加圧部４を有する。剛毛束１２は基体１１ａに植設されている。全体としては、剛毛束１２が配置された先端から細長いフレーム５を有し、縦往復運動部３を構成するモータ１３およびそれに続く電源が収納される部分（図示せず）がさらに太くなって、電動歯ブラシ１ａの握りを兼用する。なお、剛毛束１２はフレーム５の長さ方向に対して直角方向に取り付けられている。
【００４１】
基体１１ａは、フレーム５先端の筒状部分１６に収納されており、筒状部分１６の中で、筒状部分１６の軸方向に往復振動可能に支持されている。また、基体１１ａは縦長形状を有しており、剛毛束１２が植設されていない側面部分にクランク１７の一端が回転可能に枢支されている。
【００４２】
クランク１７は本体内に延設されたシャフト１８の先端部に形成されている。シャフト１８は、一定の長さを有しており、さらにその軸と直角方向に可撓性を有している。すなわち、シャフト１８は軸方向と直角方向にたわむことができる。なお、シャフト１８はシャフトホルダ１９によってフレーム５に支持されている。また、シャフト１８が軸に直角な方向にたわむ動きを規制するために、シャフトの中央部付近に当接する突起２０がシャフト１８の軸に平行な方向にスライド可能に形成されている。この突起２０は、フレーム５にシャフト１８の埋設方向と平行に設けられたスリット２１にスライド可能に支持された、たわみ規制スライダ２２に一体的に形成されていて、フレーム６の外側からスライドさせることができる。
【００４３】
シャフト１８の他端は、モータ１３の回転軸１３ａに直結されている。したがって、モータ１３の回転軸１３ａが回転すると、シャフト１８も軸周りに回転する。モータ１３には、起動スイッチと、回転制御のための回転制御スライダ２３が接続されている。回転制御スライダ２３は、電源電圧とモータ１３の間に直列に接続された可変抵抗２４と接続接点２５で構成されている。
【００４４】
なお、図２（ａ）では、起動スイッチは示していないが、回転制御スライダ２３を起動スイッチと兼用してもよい。また、図２（ａ）では、電源電圧（図示せず）からの配線２６ａが回転制御スライダ２３の接点２５に接続され、もう一方の電源からの配線２６ｂが抵抗２４に接続され、接点２５が抵抗２４上を移動することで、モータ１３に印加される電圧を調整できることを表している。
【００４５】
次に本実施の形態の電動歯ブラシ１ａの動作について説明する。モータ１３の起動スイッチを入れると、モータ１３の回転軸１３ａが回転し、シャフト１８も軸周りに回動する。シャフト１８の回動に伴ってシャフト１８の先端のクランク１７も回転する。この回転によって、基体１１ａは、本体先端の筒状部１６内で上下往復運動（上下往復運動）を行う。これによって、剛毛束１２は筒状部１６の軸に沿って往復運動を行い、剛毛束１２の毛先は、植設された方向と略平行の打撃運動を行う。
【００４６】
この剛毛束１２を口腔内に入れて、歯や歯茎に当てると、可撓性を有するシャフト１８がしなり、往復運動の中心が筒状部の奥に移動する。図２（ｂ）は、剛毛束１２の先端に往復運動方向下側から力が加わり、シャフト１８がたわんだ状態を示す。実線で示したシャフト１８は突起２０の当接点２０ａからたわんだ状態を示し、二点鎖線のシャフト１８ａは、たわむ前のシャフトを示している。この移動によって毛先が歯や歯茎に当たる際の衝撃を吸収することができる。なお、図２（ｂ）では、シャフト１８はたわんだ状態で軸を回転中心として回動するので、たわんだ状態であっても、基体１１ａは筒状部分１６内部で縦往復運動を行う。
【００４７】
この際に、シャフト１８のたわみ度合いは、基体１１ａとシャフト１８に当接している突起２０の間の長さとシャフト１８の単位長さ当たりの可撓性によって決まる。つまり、突起２０が基体１１ａの近くでシャフト１８に当接している場合は、たわむ長さが短いため、往復運動の中心点は強い力でなければ移動しない。
【００４８】
一方、突起２０が基体１１ａから離れた位置でシャフトに当接している場合は、たわむ長さが長いために、往復運動の中心点は容易に移動する。すなわち、シャフト１８に当接する当接点を調整することで、剛毛束１１ａに与えられる加圧力を調整することができる。すなわち、剛毛束１２の毛先が歯茎に当たって生じたシャフト４のたわみ量をたわみ規制スライダ２２の位置を調節することで、シャフト４のたわみ方を調節して剛毛束１２の毛先の当たりの強度を変化させる。
【００４９】
また、モータ１３の回転を制御するスライダ２３を操作することによって、シャフト１８の回転数を調整することができる。これによって、剛毛束１２のビート数も調節することができる。
【００５０】
なお、本実施形態では、縦往復運動部３は、モータ１３とシャフト１８とクランク１７によって構成される。また、加圧部４は、シャフト１８と突起２０を含むたわみ規制スライダ２２によって構成される。
【００５１】
（実施の形態３）
図３を用いて実施の形態３について説明する。本実施の形態の電動歯ブラシ１ｃは、実施の形態２の電動歯ブラシ１ｂとほぼ同じであるが、モータ１３の回転数を制御する機構が異なる。本実施の形態では、モータ１３の回転軸１３ａとシャフト１８は、イーバン円錐摩擦車３０を介してシャフト１８を回転させる。イーバン円錐摩擦車３０（以後「円錐摩擦車」とも呼ぶ）は、円錐状のコーン形状をしている。２つの円錐摩擦車３０をその先端が逆方向同士になるように平行に配置し、それぞれの円錐摩擦車３０の間をリングベルト３１によって連動させるものである。リングベルト３１の位置で、軸同士の減速比が無段階に変化する。
【００５２】
本実施形態では、モータ１３の回転軸１３ａに円錐摩擦車（以後「モータ側の円錐摩擦車」と呼ぶ）３０ｂの底面の中心を連結させたものと、シャフト１８の回転軸を円錐摩擦車（以後「シャフト側の円錐摩擦車」と呼ぶ）３０ａの底面の中心に連結させたものをそれぞれの回転軸が平行になるように配置する。互いの円錐摩擦車３０の先端は互いに反対方向を向いて配置されることとなる。そして、モータ側の円錐摩擦車３０ｂにリングベルト３１を掛止し、そのリングベルト３１に側面が当接するようにシャフト側の円錐摩擦車３０ａを配置する。
【００５３】
また、このリングベルト３１は、フレーム５の外部にスライド可能に配置されたスライダ３３の本体内部に形成された滑車３４に掛止されている。すなわち、スライダ３３の滑車３４とモータ側の円錐摩擦車３０ｂがリングベルト３１で連結され、そのリングベルト３１にシャフト側の円錐摩擦車３０ａの側面が当接している。そして、スライダ３３を移動させるとリングベルト３１がモータ側の円錐摩擦車３０ｂの側面上を移動するように構成されている。
【００５４】
このイーバン円錐摩擦車３０を用いたシャフト回転数可変機構は、スライダ３３をスライドさせ、リングベルト３１の位置を変えると、シャフト側の円錐摩擦車３０ａも当接位置が変化する。ここで、円錐摩擦車３０は互いの先端が逆向きになっているので、リングベルト３１がモータ側の円錐摩擦車３０ｂで直径が大きい位置に移動すると、当接点は、シャフト側の円錐摩擦車３０ａでは直径が小さい方に移動する。するとシャフト１８の回転数は増加する。逆に、リングベルト３１がモータ側の円錐摩擦車３０ｂで直径が小さい方に移動すると、シャフト側の円錐摩擦車３０ａでは直径が大きい方に移動し、シャフト１８の回転数は減少する。なお、図３では、シャフト１８が回転することによって基体１１ａが筒状部分１６内で往復運動する様子を示している。二点鎖線は基体１１ａが上死点にある場合を示す。これは図２の場合も同じ動きをする。
【００５５】
以上のようにして、モータ１３に供給する電源電圧を調整する以外の方法でも、シャフト１８の回転数を調整することができる。
【産業上の利用可能性】
【００５６】
本発明は、電動歯ブラシに好適に利用することができる。
【符号の説明】
【００５７】
１  電動歯ブラシ
２  ブラシ体
３  縦往復運動部
４  加圧部
５  フレーム
６  ロッド
７  電源
１１  基体
１２  剛毛束
１３  モータ
１３ａ  回転軸
１４  弾性体
１６  筒状部分
１７  クランク
１８  シャフト
１９  シャフトホルダ
２０  突起
２１  スリット
２２  たわみ規制スライダ
２３  回転制御スライダ
２４  抵抗
２５  接点
２６ａ、２６ｂ  配線
３０  イーバン円錐摩擦車
３０ａ  シャフト側のイーバン円錐摩擦車
３０ｂ  モータ側のイーバン円錐摩擦車
３１  リングベルト
３３  スライダ
【図１】
2011052561.tif 000003
【図２】
2011052561.tif 000004
【図３】
2011052561.tif 000005
【国際調査報告】
2011052561.tif 000006
2011052561.tif 000007
2011052561.tif 000008
2011052561.tif 000009
2011052561.tif 000010
2011052561.tif 000011
2011052561.tif 000012
2011052561.tif 000013